(57)【要約】【課題】高電圧室と低電圧室との間の開口部を、仕切手段を取り外すことなく、簡易に開閉操作できるようにし、仕切板落下による怪我を阻止し、バンク等の停電作業時における作業コストを低減させる。【解決手段】低電圧回路３ｂが格納される前室Ｂと、高電圧回路が格納される後室Ａとの間を仕切る隔壁９に、該隔壁９に形成された開口部２１を開閉する仕切手段２０を備えたスイッチギヤ１であって、仕切手段２０は、開口部２１の上下両縁に設けた上下のスライドレール２２、２３と、該上下のスライドレール２２，２３に嵌り込んで転動するローラ２４，２５と、該ローラ２４，２５に結合される折畳み可能な金属製の仕切板２６ａ、２６ｂ、２７ａ、２７ｂとを具備する折り戸２０で構成する。【選択図】図６
2009240088.tif 000002
【特許請求の範囲】
【請求項１】
低電圧回路が格納される前室と、高電圧回路が格納される後室との間を仕切る隔壁に、該隔壁に形成された開口部を開閉する仕切手段を備えたスイッチギヤであって、前記仕切手段は、前記開口部の上下両縁に設けた上下のスライドレールと、該上下のスライドレールに嵌り込んで転動するローラと、該ローラに結合される折畳み可能な金属製の仕切板とを具備する折り戸で構成されたことを特徴とするスイッチギヤ。
【請求項２】
前記折り戸は、左右に二分割に形成した左折り戸部と右折り戸部とで形成され、折り戸の閉時には、前記左折り戸部と右折り戸部との対峙部に左右両折り戸部を施解錠する施解錠部材を設けたことを特徴とする請求項１記載のスイッチギヤ。
【請求項３】
前記左折り戸部および前記右折り戸部は、その開操作時には、前記左右両折り戸部の前記仕切板が互いに前記スライドレールの方向に沿って前後に重なるように折り畳まれて収納されることを特徴とする請求項１または２記載のスイッチギヤ。
【請求項４】
前記左折り戸部および前記右折り戸部は、その開操作時には、前記左右両折り戸部の前記仕切板が互いに前記スライドレールに略直交する方向に重なるように折り畳まれて収納されることを特徴とする請求項１または２記載のスイッチギヤ。
【請求項５】
前記仕切手段を構成する前記折り戸には、前記スイッチギヤを構成する部材との間に伸縮自在なアース線を配線したことを特徴とする請求項１乃至４のいずれか一項に記載のスイッチギヤ。
【発明の詳細な説明】
【技術分野】
【０００１】
本発明は、変電所等で設置される受配電設備に使用されるスイッチギヤに関する。
【背景技術】
【０００２】
従来、変電所等の受配電設備に設置されるスイッチギヤ１は、図１２，図１３に示されるように、金属製の筐体で形成され、その正面に設けた閉鎖箱扉２、閉鎖箱扉２の裏側に設けられ低電圧回路が組み込まれた可動盤３，および可動盤３の奥に上下に設けた３枚の金属製仕切板４を有する。仕切板４は、高電圧室Ａと低電圧室Ｂとを仕切る隔壁９の開口部１０を閉塞するように、その四隅をボルト１１で締結して固定される。仕切板４の奥の部屋には、遮断器５，変流器６，零相変流器７、電力ケーブル８が収容される高電圧室Ａが形成される。仕切板４の手前の部屋には、可動盤３に組み込まれる低電圧回路により低電圧室Ｂが形成される。通常使用時、スイッチギヤにより、電力の受配電を司るように構成する一方で、高電圧回路への接近に対する保護等の目的で仕切板４を設置している。なお、符号１２は仕切板４に固定した取っ手を示す。
【０００３】
バンク停電作業時の作業手順は、図１２（ａ）のように閉鎖箱扉２と可動盤３を開き、同図（ｃ）のようにボルト１１を弛めて仕切板４を隔壁９から取り外してスイッチギヤ１の外部へ運び出す。十分な開口面積が得られるまで、分割して設けた仕切板４の取り外しを繰り返し行う。検電・作業用アースの取り付けと、高電圧室Ａの内部点検作業を実施し、点検作業が終了した後、検電・作業用アースを取り外し、逆の手順により仕切板４をボルト１１で締付けて取り付ける。
【０００４】
なお、上記と同様に、低電圧回路部と高電圧回路部との間に遮蔽板を設けた構成を有するスイッチギヤとして特許文献１に記載のものがある。
【特許文献１】特開平１０−２４８１２３号公報
【発明の開示】
【発明が解決しようとする課題】
【０００５】
しかしながら、図１２，図１３のスイッチギヤにあっては、仕切板４は重量が重く、四隅がボルト１１により締結して固定する構造であり、しかも、分割して設置されるので、仕切板４の取り付け、取り外しに時間を要していた。また、バンク停電作業時には、スイッチギヤ１への検電・作業用アース付け／外し個所が多数あるため、作業の段取りとしては、仕切板４の取り外し作業だけを先行して行う作業員の確保を必要とし、それだけ作業コストが嵩張るという問題がある。
【０００６】
また、取り外した仕切板４は、スイッチギヤ１外部へ持ち出す必要があるが、そのときに、仕切板４を落下して怪我をする虞があり、さらには、スイッチギヤ基礎段差による転倒および仕切板４が可動盤３の制御機器へ接触することにより生じる感電および破損といった事故を惹起する虞もある。
【０００７】
本発明は上述のかかる事情に鑑みてなされたものであり、高電圧室と低電圧室との間の隔壁に形成される開口部に、高電圧回路への接近に対する保護等の目的で設置された仕切手段を取り外すことなく、簡易に開閉操作するだけで開閉できるようにすることで、仕切板落下による怪我を阻止し、バンク等の停電作業時における作業コストを低減させ、転倒や接触による感電事故や機器の破損事故を未然に防止できるスイッチギヤを提供することを目的とする。
【課題を解決するための手段】
【０００８】
上記目的を達成するため、本発明に係るスイッチギヤは、低電圧回路が格納される前室と、高電圧回路が格納される後室との間を仕切る隔壁に、該隔壁に形成された開口部を開閉する仕切手段を備えたスイッチギヤであって、前記仕切手段は、前記開口部の上下両縁に設けた上下のスライドレールと、該上下のスライドレールに嵌り込んで転動するローラと、該ローラに結合される折畳み可能な金属製の仕切板とを具備する折り戸で構成されたことを特徴とする。
【０００９】
これによれば、隔壁の開口部を開閉する仕切手段（以下、「折り戸」ともいう）は、折畳み可能な金属製の仕切板を具備する折り戸で構成されるので、折り戸をスライドレールに沿って安定した状態でスライドできる。このため、折り戸部のスライド操作という簡単な操作で開口部をスムーズに開閉操作できる。また、仕切手段を開いた状態では、開口部を大きく開くことができ、高電圧室に対する検電・作業用アースの取り付け作業を容易に行うことができる。さらに、仕切手段が開閉いずれの状態にあっても、前室の側面に部品類を取り付けることができ、また、作業できるスペースを有効に確保できるようになる。
【００１０】
また、前記折り戸は、左右に二分割に形成した左折り戸部と右折り戸部とで形成し、折り戸の閉時には、前記左折り戸部と右折り戸部との対峙部に左右両折り戸部を施解錠する施解錠部材を設けた構成にしてもよい。
【００１１】
これによれば、折り戸（仕切手段）は、左右二分割の構造としているので、施解錠部材を解錠して左折り戸部と右折り戸部とをそれぞれ別個にスライドレールに沿って折り畳んで開くことで、開口部を半開きにしたり、あるいは左右両側を共に開くことで全開にしたりできる。また、左折り戸部と右折り戸部とを閉じて施解錠部材を施錠することで、折り戸により高電圧室（後室）と低電圧室（前室）とを隔離することができるようになる。
【００１２】
また、前記左折り戸部および前記右折り戸部は、その開操作時には、前記左右両折り戸部の前記仕切板が互いに前記スライドレールの方向に沿って前後に重なるように折り畳まれて収納されるように構成してもよい。
【００１３】
これによれば、左右の折り戸部を形成する各仕切板が、スライドレールの方向に沿って前後に重なるようにして折り畳まれるので、開操作時における前室のスペースを不用意に狭めることがない。このため、前室の作業スペースを有効活用でき、スイッチギヤの内部側壁に機器類設置も可能となる。
【００１４】
また、前記左折り戸部および前記右折り戸部は、その開操作時には、前記左右両折り戸部の前記仕切板が互いに前記スライドレールに略直交する方向に重なるように折り畳まれて収納される構成とすることも可能である。
これによれば、左右の折り戸部を形成する各仕切板が、スライドレールに略直交する方向に重なるように折り畳まれるので、開操作時における前室のスペースを不用意に狭めることがない。このため、前室の作業スペースを有効活用でき、スイッチギヤの内部側壁に機器類設置も可能となる。
【００１５】
また、前記仕切手段を構成する前記折り戸には、前記スイッチギヤを構成する部材との間に伸縮自在なアース線を配線するようにすることもできる。
【００１６】
これによれば、伸縮自在なアース線を、折り戸と、例えば隔壁等のスイッチギヤを構成する部材との間に設けたので、折り戸がどのような開閉状態にあっても、アース線が開閉に追随して伸縮する。その結果、折り戸部の誘導電圧防止機能は、終始確保することができるようになる。
【００１７】
好ましくは、ローラを金属製とし、上下スライドレール，上下ローラ、仕切板，結合部の全てを通して導通状態とし、スライドレールの一端からアース線を引き出すようにすると良い。特に左右の折り戸（仕切板）に重なり部を形成し、重なり部に導電性ゴムを配設し、また、金属性ローラのレール接触面を導電性ゴムにすることによって、接触面積が増え、誘導電圧防止機能が向上する。さらに左右折り戸の開閉部中央に施錠箇所を設けることによって接近に対する保護を向上させることができる。
【発明の効果】
【００１８】
本発明によれば、従来のような面倒な仕切板の取り付け、取り外し作業を不要化し、仕切手段（折り戸）をスライドレールに沿って開閉するだけで、隔壁の開口部を円滑に開閉できる。このため、停電作業時における作業コストを低減でき、仕切板の落下事故による怪我を未然に防止し、転倒や接触による感電事故、さらには機器の破損事故等を未然に防止できるスイッチギヤを得ることができる。
【発明を実施するための最良の形態】
【００１９】
以下、本発明の第１実施の形態に係るスイッチギヤを図１〜図１２を参照して説明する。なお、図１２，図１３の上記従来技術と同一または均等の部材、部分についてはこれらに用いたと同様の符号を付すこととする。    
【００２０】
図１は前室Ｂの図示を省略し、後室Ａ側のスイッチギヤの筐体だけを示したスイッチギヤの部分外観図、図２は前室Ｂ、閉鎖箱扉２，可動盤３を含むスイッチギヤ全体に係り、スイッチギヤを図１のＣ−Ｃ線における断面で切断して示した平断面図である。
【００２１】
本第１実施形態におけるスイッチギヤ１なる筐体の概要構成は、図１２，図１３で示した上記従来技術と同様に、スイッチギヤ１内部の隔壁９により、高電圧回路が格納される高電圧室としての後室Ａと、低電圧室としての前室Ｂとで成る。前室Ｂは、図２に示されるように、ヒンジ３ａを中心にして回動する低電圧回路３ｂを備えた可動盤３が、二点鎖線で示す位置まで回動し、図示されないストッパ手段により位置決め停止して閉じられるようになっている。可動盤３が図２で示す矢印方向へ閉じられたときに、隔壁９との間で形成される空間が低電圧室、すなわち、前室Ｂとして形成される。なお、閉じられた可動盤３の盤面は、隔壁９と略平行をなして対面する。こうして、スイッチギヤ１の内部空間は、隔壁９により後室Ａと前室Ｂとに仕切られる。
【００２２】
隔壁９には上下に長い四角形の開口部２１が形成され、そこに本発明の特徴事項である仕切手段（折り戸）２０が開閉自在に設けられる。すなわち、折り戸２０は、開口部２１の上縁と下縁とに沿って敷設した横断面凹状の溝２２ａ、２３ａを備えた上部スライドレール２２および下部スライドレール２３に沿ってスライドして折畳みできるようになっている。
【００２３】
折り戸２０は具体的には、略同じ面積を有する左折り戸部２６と右折り戸部２７とで左右二分割の形態で形成され、左右両折り戸部２６、２７は、上下に細長い四角形状の２枚の鉄あるいはアルミニウム等の金属製のパネル材でなる仕切板２６ａ、２６ｂ、２７ａ、２７ｂを互いに金属製の蝶番２８、２９を介して屈曲して折曲げできるように結合される。なお、本発明では仕切板２６ａ、２６ｂ、２７ａ、２７ｂの板厚は、１，６ｍｍ程度あるいはそれ以上であるのが好ましい。
【００２４】
各仕切板２６ａ、２６ｂ、２７ａ、２７ｂの上縁には水平軸周りに回転する上部ローラ２４が、また、各仕切板２６ａ、２６ｂ、２７ａ、２７ｂの下縁には上下軸周りに回転する下部ローラ２５がそれぞれ軸支される。一対の車輪でなる上部ローラ２４は上部スライドレール２２の溝２２ａに、下部ローラ２５は下部スライドレール２３の溝２３ａにそれぞれ嵌め込まれる。上部ローラ２４はそれ自体として仕切板に対して水平面内で首振り自在となるように軸支され、各折り戸部２６，２７を懸垂して支持する。これにより、折り戸部２６，２７の開閉操作時に、仕切板２６ａ、２６ｂ、２７ａ、２７ｂに大きな外力が働いても、上部ローラ２４の首振り動作をすることで上部ローラに無理な力が作用するのを回避できるようにしている。下部ローラ２５は各折り戸部２６、２７の下方が振られるのを規制して円滑にスライドできるようにする。
【００２５】
左右の折り戸部２６，２７が対面する上下の中程には、自体公知の金属製の施解錠部材３０が取り付けられる。これにより、図１に示すように、左右の折り戸部２６、２７が展開されて開口部２１を完全閉鎖した場合には、施解錠部材３０を施錠することで両折り戸部２６，２７が一体に連結されるようになっている。
【００２６】
また、図４に示されるように、仕切板２６ｂ、２７ｂの下部には、下方へ出没自在に突出するピン２６ｃ、２７ｃが設けられ、完全閉鎖する位置に対応する下部スライドレール２３に設けた位置決め孔２３ｂ、２３ｃに係脱するようになっている。係る係脱する機構は、施解錠部材３０にリンク結合され、施解錠部材３０の施解錠操作に連動して自動的に係脱する機構に構成される。同様に、仕切板２６ｂ、２７ｂの上部にも、ピン２６ｄ、２７ｄが出没自在に設けられ（図１参照）、上部スライドレール２２に設けた不図示の位置決め孔に係脱するように構成され、施解錠部材３０の施解錠操作に連動して係脱するような機構を有している。もっとも、手動操作で係脱をするようにしてもよい。
【００２７】
これにより、左右の折り戸部２６，２７が完全閉鎖し、ピン２６ｃ，２６ｄ，２７ｃ，２７ｄを伸ばして、スライドレール２２，２３の位置決め孔に進入させることで、完全閉鎖位置で折り戸部２６，２７を位置決め固定できる。その結果、左右の折り戸部２６，２７は、一体に連結した状態で、スライドレール２２，２３に沿って不用意にスライドするのを阻止するようにしている。
【００２８】
折り戸部２６，２７をスライドして開操作する場合には、ピン２６ｃ，２６ｄ，２７ｃ，２７ｄをスライドレール２２，２３から引っ込めた状態を保持した状態にすれば、スライドレール２２，２３に干渉することなく、開操作を自由にできるようになっている。なお、ピン２６ｃ，２７ｃと、これに係脱する位置決め孔２３ｂ，２３ｃは、いずれか一方のペアだけで形成してもよいのは言うまでもない。
【００２９】
折り戸部２６，２７に設けられるアースシステムは、金属製の施解錠部材３０と、金属製の各仕切板２６ａ、２６ｂ、２７ａ、２７ｂと、金属製の蝶番２８，２９と、図５に示される仕切板２６ａおよび金属製の隔壁９の間に取り付けた伸縮性のアース部材３１とで形成される。アース部材３１は、例えば、隔壁９に金属接触可能に固定リール３１ａを接続し、固定リール３１ａ内部にアース線３１ｂを巻付け、その自由端を仕切板２６ａに接続し、固定リール内の端部を隔壁９に導通するように接続する。そして、アース線３１ｂは、固定リール３１ａ内に設けた不図示のバネのバネ作用により常に巻き取られる方向に付勢されている。仕切板２６ａが下部スライドレール２３に沿ってスライドするに応じて、アース線３１ｂがたるむことなく伸縮することにより、折り戸部２６，２７の開閉にアース線３１ｂが干渉しないようにしている。
【００３０】
これにより、図１のように、左右の折り戸部２６，２７により開口部２１が閉じられたときには、折り戸部２０は、施解錠部材３０、仕切板２６ａ、２６ｂ、２７ａ、２７ｂ、蝶番２８，２９、およびアース部材３１により隔壁９を介してアースされるので、折り戸２０の誘導電圧防止機能が発揮されるようになっている。なお、図１における符号３２、３３は取っ手を示す。
【００３１】
本第１実施形態の開閉動作を説明する。バンク停電作業を行う場合、まず閉鎖箱扉２および可動盤３を開く。折り戸２０は、図１、図２のように閉じられた状態にある。施解錠部材３０を解錠し、ピン２６ｃ、２７ｃを位置決め孔２３ｂ，２３ｃから引き抜き（ピン２６ｄ，２７ｄも同様に引き抜く）、取っ手３２，３３を持ち、手前側に引く。図６（ｂ）の矢印で示すように、広い開口部２１のところで仕切板２６ａ、２６ｂ、２７ａ、２７ｂを合わせ、さらに開口部２１と平行になるように、換言するとスライドレール２２，２３と平行になるように仕切板２６ａ、２６ｂ、２７ａ、２７ｂを回転させる。その状態で、仕切板２６ａ、２６ｂ、２７ａ、２７ｂ、すなわち、左折り戸部２６および右折り戸部２７を、図７（ｂ）の矢印で示すように、スライドレール２２，２３の端部に向けてスライド移動させる。この一連の開操作に際して、アース線３１ｂは、固定リール３１ａに巻き取られ、たるむことがない。こうして、折り戸部２６，２７は左右に折り畳まれ、開口部２１を介して後室Ａと前室Ｂが連通することとなり、作業が行うことができる。
【００３２】
折り戸２０を閉じる場合には、上記とは逆の手順により行われる。すなわち、左折り戸部２６および右折り戸部２７を中央へ移動させ、取っ手３２，３３を持ちながら手前外側へ向かって回す。折り畳まれた仕切板２６ａ、２６ｂ、および仕切板２７ａ、２７ｂが開ききったら、取っ手３２，３３を持ち、スライドレール２２、２３の中央部に寄せ、施錠する。これにより、左右の折り戸部２６，２７が連結されると同時に、ピン２６ｃ、２７ｃが位置決め孔２３ｂ、２３ｃに係合し、スライドレール２２，２３に対する移動が拘束される。
【００３３】
こうして、仕切手段、すなわち、折り戸部２０は、誘導電圧防止機能を惹起する形態で後室Ａと前室Ｂを仕切ることができる。
【００３４】
次に、本発明の第２実施形態を、図８〜図１０に基づいて説明する。この第２実施形態が上記の第１実施形態と構成上大きく相違する点は、上記第１実施形態では左折り戸部２６および右折り戸部２７を、それぞれ２枚の仕切板２６ａ、２６ｂ、２７ａ、２７ｂで形成したのに対し、本第２実施形態では４枚の仕切板で形成すると共に、各仕切板を蝶番２８，２９で連結した点と、第１実施形態では各仕切板２６ａ、２６ｂ、２７ａ、２７ｂの上下にローラ２４，２５を設けたのに対し、本第２実施形態では施解錠部材３０に係合される中央寄りの仕切板の上下にだけローラ２４，２５が設けられている点と、第１実施形態では各仕切板２６ａ、２６ｂ、２７ａ、２７ｂを互いにスライドレールの方向に沿って前後に重なるように折り畳まれる構成であるのに対し、本第２実施形態ではスライドレールに略直交する方向に重なるように折り畳まれて収納される構成である点とにおいて相違し、その他の構成は両者共実質的に同一の構成であり、それらの詳細な説明は割愛する。なお、以下では、上記第１実施形態と同一または均等部材には同一の符号を用いて説明する。
【００３５】
すなわち、左折り戸部２６の一番左方寄りにある仕切板および右折り戸部２７の一番右方寄りにある仕切板は、それぞれ蝶番２８，２９を介して隔壁９に軸支される。また、ローラ２４，２５は、左折り戸部２６の最も右にある仕切板の上下と、右折り戸部２７の最も左にある仕切板の上下とにのみ設けられ、他の仕切板には設けられない。
【００３６】
こうして、第２実施形態では、これらローラ２４，２５だけが、上下両部スライドレール２２，２３に沿って転動するようになっている。
【００３７】
本第２実施形態は上記のように構成されているので、折り戸２０、すなわち、左折り戸部２６および右折り戸部２７が閉操作された状態では、左折り戸部２６および右折り戸部２７は図８に示すような状態で閉じられている。この状態から開操作する場合には、施解錠部材３０を解錠し、取っ手３２，３３を把持しながら左折り戸部２６および右折り戸部２７を手前やや外側に引く。開いた仕切板を、図９に示すように、スライドレール２２，２３の両端に向けて移動させていく。すると、図１０のように各仕切板は互いにスライドレール２２，２３に略直交する方向に重なるようにして折り畳まれる。これにより、作業用の開口部２１が確保されることとなる。
【００３８】
折り戸部２６，２７を閉操作する場合には、上記と逆操作する。すなわち、取っ手３２，３３を持ち、中央側に移動させる。次いで、取っ手３２，３３を持ち、奥側に押し込み、施錠することで、図１０→図９→図８に示す状態に復帰する。これにより、後室Ａと前室Ｂは、折り戸部２６，２７により遮断される。
上記第１実施形態および上記第２実施形態によれば、従来必要としていた仕切板の取り付け、取り外しという面倒な作業を不要化でき、折り戸２０をスライドレール２２，２３に沿って開閉する簡単な操作により、隔壁９の開口部２１を開閉できる。このため、停電作業時における作業コストの低減、安全の確保、機器の破損事故等の防止による品質の向上に優れた利点を有する。また、折り戸２０の開操作時には、折り戸が折り畳まれることで、スイッチギヤ１の側面のデッドスペースを最小限にできるので、種々の部品類を余裕をもって装備できる利点もある。さらに、アースシステムを有するので、折り戸２０で開口部２１が閉じられた場合に、折り戸自体は十分な誘導電圧防止機能を発揮できる。
【００３９】
以上、本発明を第１実施形態および第２実施形態により詳述してきたが、具体的な構成はこれらに限られるものでなく、本発明の要旨を逸脱しない範囲の設計変更等があっても本発明の範囲に含まれるものである。
【００４０】
上記の各実施形態では、仕切手段としての折り戸２０を、左折り戸部２６と右折り戸部２７という左右二分割の形態で構成したが、二分割でない形態の折り戸に形成した態様であってもよいのは言うまでもない。
【００４１】
また、上記各実施形態におけるアースシステムは、蝶番２８，２９をアース線の一部として利用したが、この代わりに、各仕切板２６ａ、２６ｂ、２７ａ、２７ｂ同士を、各仕切板の折畳みに支障を生じないような形態でアース線で結線してアースを形成する構成とすることも可能である。
【００４２】
なお、図１１のように、上下ローラ２４，２５、バネまたはゴム等の弾性部材１９，折り戸２０、上下スライドレール２２，２３、および各接合部を金属製にして、全体を導通状態にし、下部スライドレールの一端からアース線を引き出すことによって、簡便にアースを形成することができる。弾性部材１９は、折り戸２０等の重みによって適度に伸張し、上部ローラ２４と下部ローラ２５がそれぞれ同程度の圧力によってスライドレール２２，２３と接触するようになっている。また、各スライドレールの端にアース引き出し口を設けることによって、設置箇所のノイズ環境に応じて一点接地あるいは多点接地のアースを取ることができる。なお、上下ローラ２４，２５の表面すなわちスライドレール接触部分を導電性ゴムにすることによって接触面積を広くすることができ、遮蔽効果を高めることができる共に円滑な開閉操作を可能にする。
【産業上の利用可能性】
【００４３】
本発明は、変電所等で設置される受配電設備に適用されるスイッチギヤの製作に利用することができる。
【図面の簡単な説明】
【００４４】
【図１】本発明の第１実施形態に係り、前室Ｂの図示を省略し、後室Ａ側のスイッチギヤの筐体だけを示したスイッチギヤの部分外観図である。
【図２】同じく、前室、閉鎖箱扉，可動盤を含むスイッチギヤ全体に係り、スイッチギヤを図１のＣ−Ｃ線における断面で切断して示した平断面図である。
【図３】同じく、図１のＤ−Ｄ線における矢視拡大断面図である。
【図４】同じく、図１のＥ部における要部拡大外観透視図である。
【図５】同じく、図１のＦ部における要部拡大外観図である。
【図６】同じく、折り戸が半開操作される状態を説明する作用説明図に係り、（ａ）はスイッチギヤの部分外観図、（ｂ）は（ａ）の平断面図である。
【図７】同じく、折り戸が完全に開操作された状態を説明する作用説明図に係り、（ａ）はスイッチギヤの部分外観図、（ｂ）は（ａ）の平断面図である。
【図８】第２実施形態に係り、（ａ）は図１と同様のスイッチギヤの部分外観図、（ｂ）は（ａ）の平断面図である。
【図９】同じく、折り戸が半開操作される状態を説明する作用説明図に係り、（ａ）はスイッチギヤの部分外観図、（ｂ）は（ａ）の平断面図である。
【図１０】同じく、折り戸が完全に開操作された状態を説明する作用説明図に係り、（ａ）はスイッチギヤの部分外観図、（ｂ）は（ａ）の平断面図である。
【図１１】図３の他の実施例による断面図である。
【図１２】従来のスイッチギヤに係り、（ａ）はその外観図、（ｂ）は正面図、（ｃ）は作用説明図である。
【図１３】同じく、スイッチギヤの内部構造を示す構成図である。
【符号の説明】
【００４５】
１  スイッチギヤ
２  閉鎖箱扉
３  可動盤
３ａ  ヒンジ
３ｂ  低電圧回路
９  隔壁
１０  開口部
１１  ボルト
１２  取っ手
１９  弾性部材
２０  仕切手段（折り戸）
２１  開口部
２２  上部スライドレール
２３  下部スライドレール
２２ａ，２３ａ  横断面凹状の溝
２３ｂ，２３ｃ  位置決め孔
２４  上部ローラ
２５  下部ローラ
２６  左折り戸部
２６ａ，２６ｂ  仕切板
２６ｃ  ピン
２７  右折り戸部
２７ａ，２７ｂ  仕切板
２７ｃ  ピン
２８，２９  蝶番
３０  施解錠部材
３１  アース部材
３１ａ  固定リール
３１ｂ  アース線
３２，３３  取っ手
Ａ  後室（高電圧室）
Ｂ  前室（低電圧室）
【図１】
2009240088.tif 000003
【図２】
2009240088.tif 000004
【図３】
2009240088.tif 000005
【図４】
2009240088.tif 000006
【図５】
2009240088.tif 000007
【図６】
2009240088.tif 000008
【図７】
2009240088.tif 000009
【図８】
2009240088.tif 000010
【図９】
2009240088.tif 000011
【図１０】
2009240088.tif 000012
【図１１】
2009240088.tif 000013
【図１２】
2009240088.tif 000014
【図１３】
2009240088.tif 000015